(57)【要約】【課題】  モニタ機能を備える携帯電話、モニタシステム及びそのモニタ方法を提供すること。【解決手段】  携帯電話モニタシステムは、少なくとも、携帯電話、モニタユニット、コントロールユニット及び所定の異常リアクションユニットを備える。携帯電話は、モニタシステムの本体として機能する、モニタユニットは、特定のエリアの信号データを取得するために用いられる。コントロールユニットは、異常状態に応えてトリガ信号を生成するために  用いられる。所定の異常リアクションユニットは、プリセット異常信号を生成するために用いられる。携帯電話モニタシステムは、携帯電話の移動性にモニタシステムのモニタ異常リアクションを取り入れ、モニタタスクの性能及び実行可能性を実質的に増大させることができる。【選択図】図１
2006309694.tif 000002
【特許請求の範囲】
【請求項１】
モニタユニット、保存ユニット及びコントロールユニットを備える携帯電話と、
異常コンディションの警報メッセージを受信した時に、異常リアクションプロシージャを行なうための異常リアクションユニットとを少なくとも備え、
前記モニタユニットは、モニタタスクを行なうために用いられ、
前記保存ユニットは、前記モニタユニットにより取得された信号データを受信し、該受信した信号データを保存するために用いられ、
前記コントロールユニットは、前記保存ユニットに接続され、モニタされたエリアが所定のコンディションを超えた時に、前記異常コンディションの前記警報メッセージを送信するために用いられることを特徴とする携帯電話モニタシステム。
【請求項２】
前記モニタユニットは、該モニタユニットによりモニタされる信号タイプがイメージである場合、前記携帯電話の内蔵されたイメージ取得ユニットで構成されることを特徴とする請求項１に記載の携帯電話モニタシステム。
【請求項３】
前記モニタユニットは、該モニタユニットによりモニタされる信号タイプがイメージである場合、前記携帯電話のプラグインイメージ取得ユニットで構成されることを特徴とする請求項１に記載の携帯電話モニタシステム。
【請求項４】
前記モニタユニットは、該モニタユニットによりモニタされる信号タイプが音声である場合、前記携帯電話の内蔵マイクロフォンで構成されることを特徴とする請求項１に記載の携帯電話モニタシステム。
【請求項５】
前記モニタユニットは、該モニタユニットによりモニタされる信号タイプが音声である場合、前記携帯電話のプラグインマイクロフォンで構成されることを特徴とする請求項１に記載の携帯電話モニタシステム。
【請求項６】
前記モニタユニットは、該モニタユニットによりモニタされる信号タイプが音声である場合、追加の音声取得装置で構成されることを特徴とする請求項１に記載の携帯電話モニタシステム。
【請求項７】
前記携帯電話モニタシステムに所望の電力を供給するための電力供給装置を更に備えることを特徴とする請求項１に記載の携帯電話モニタシステム。
【請求項８】
前記モニタユニットは、モニタされた環境の変化に対応するための赤外光を備えることを特徴とする請求項１に記載の携帯電話モニタシステム。
【請求項９】
前記モニタユニットは、光不足のモニタされた環境に対応するためのパッシブ赤外光を備えることを特徴とする請求項８に記載の携帯電話モニタシステム。
【請求項１０】
前記モニタユニットは、暗い環境でイメージを取得するために、モニタされた目標に照射し、結像レンズに反射するアクティブ赤外光を備えることを特徴とする請求項８に記載の携帯電話モニタシステム。
【請求項１１】
携帯電話モニタシステムに適した携帯電話であり、
該携帯電話は、
モニタされる信号タイプ及びエリアをモニタするために用いられるモニタユニットと、
該モニタユニットにより取得され信号データを受信及び保存するために用いられる保存ユニットと、
異常コンディションの警告メッセージにより異常リアクションプロシージャを進めるために、前記保存ユニットに接続され、前記モニタされたエリアが所定のコンディションを超えた時に前記異常コンディションの警報メッセージを送信するためのコントロールユニットとを備えることを特徴とする携帯電話。
【請求項１２】
前記異常コンディションの警報メッセージを受信した時に、前記異常リアクションプロシージャを行なうために用いられる異常リアクションユニットを更に備えることを特徴とする請求項１１に記載の携帯電話。
【請求項１３】
前記モニタユニットは、該モニタユニットによりモニタされる信号タイプがイメージである場合、前記携帯電話の内蔵イメージ取得ユニットで構成されていることを特徴とする請求項１１に記載の携帯電話。
【請求項１４】
前記モニタユニットは、該モニタユニットによりモニタされる信号タイプがイメージである場合、前記携帯電話のプラグインイメージ取得ユニットで構成されていることを特徴とする請求項１１に記載の携帯電話。
【請求項１５】
前記モニタユニットは、該モニタユニットによりモニタされる信号タイプが音声である場合、前記携帯電話の内蔵マイクロフォンで構成されていることを特徴とする請求項１１に記載の携帯電話。
【請求項１６】
前記モニタユニットは、該モニタユニットによりモニタされる信号タイプが音声である場合、前記携帯電話のプラグインマイクロフォンで構成されていることを特徴とする請求項１１に記載の携帯電話。
【請求項１７】
前記モニタユニットは、該モニタユニットによりモニタされる信号タイプが音声である場合、追加の音声取得装置で構成されていることを特徴とする請求項１１に記載の携帯電話。
【請求項１８】
前記モニタユニットは、モニタされた環境の変化に対応するための赤外光を備えることを特徴とする請求項１１に記載の携帯電話。
【請求項１９】
前記モニタユニットは、光不足のモニタされた環境に対応するためのパッシブ赤外光を備えることを特徴とする請求項１８に記載の携帯電話。
【請求項２０】
前記モニタユニットは、暗い環境でイメージを取得するために、モニタされた目標に照射し、結像レンズに反射するアクティブ赤外光を備えることを特徴とする請求項１８に記載の携帯電話。
【請求項２１】
全ての特定のタイムフレームでのエリアのイメージを周期的に取得するために、携帯電話のイメージ取得ユニットを用い、
取得されたイメージ信号を保存し、
モニタされたエリアの取得イメージを前記特定のタイムフレームの前に取得したイメージと比較し、
イメージの違いがプリセットコンディションを超えている場合、異常コンディションの警報メッセージを異常プロシージャのために送信することを特徴とするモニタ方法。
【請求項２２】
前記モニタされたエリアで取得されたイメージと特定のタイムフレームの前に取得されたイメージとの違いを比較するための前記プリセットコンディションは、２０％より大きいイメージの違いを含むことを特徴とする請求項２１に記載のモニタ方法。
【請求項２３】
全ての特定タイムフレームでのエリアの音声を周期的に取得するために、携帯電話の音声取得ユニットを用い、
取得された音声信号を保存し、
モニタされたエリアの取得された前記音声信号を、特定のタイムフレームの前に取得された音声信号と比較し、音声信号の違いがプリセットコンディションを超えている場合、異常コンディションの警報メッセージを異常プロシージャのために送ることを特徴とするモニタ方法。
【請求項２４】
前記モニタされたエリアで取得された音声と特定のタイムフレームの前に取得された音声との違いを比較するための前記プリセットコンディションは、２０％より大きいイメージの違いを含むことを特徴とする請求項２３に記載のモニタ方法。
【請求項２５】
全ての特定のタイムフレームでのエリアの変化を周期的に収得するために、携帯電話を用い、
取得された信号を保存し、
モニタされたエリアの取得信号を特定のタイムフレームの前に取得した信号と比較し、
信号の違いがプリセットコンディションを超えている場合、異常コンディションの警報メッセージを異常リアクションプロシージャのために送信することを特徴とするモニタ方法。
【請求項２６】
前記携帯電話は、光不足のモニタされた環境に対応するためのパッシブ赤外光を備えることを特徴とする請求項２５に記載のモニタ方法。
【請求項２７】
前記携帯電話は、暗い環境でイメージを取得するために、モニタされた目標に照射し、結像レンズに反射するアクティブ赤外光を備えることを特徴とする請求項２５に記載のモニタ方法。
【発明の詳細な説明】
【技術分野】
【０００１】
本発明は、携帯電話及びモニタ方法に関し、特に、モニタ機能を備えた携帯電話、モニタシステム及びそのモニタ方法に関する。
【背景技術】
【０００２】
電気通信を利用する現代社会では、携帯電話は、コミュニケーションのための必須の装置である。携帯電話の人気及び利便性のおかげで、多くの新規な機能が導入され、例えば、通常通話、カメラ、サウンドレコーダ、無線送信などは、全て、小型の携帯電話に組み込まれている。
【発明の開示】
【発明が解決しようとする課題】
【０００３】
従来のモニタシステムでは、通常、所定のアクションを引き起こすためばかりではなく、データを分析、比較及び保存するために、コンピュータは必須である。しかしながら、コンピュータシステムの関連設備は、モニタタスクのために所望のエリア又は時間に設定するには移動性が不十分である。従って、従来のモニタシステムのモニタ能力には限りがある。
【課題を解決するための手段】
【０００４】
本発明の目的は、携帯電話の利便性にモニタシステムを取り入れ、携帯電話の利用可能な機能を利用し、従来のモニタシステムの不都合を克服し、モニタシステムの利便性を更に高めることである。即ち、本発明の目的は、携帯電話におけるモニタシステムを向上させることである。
【０００５】
本発明による携帯電話モニタシステムは、少なくとも携帯電話及び異常リアクションユニットを備える。携帯電話は、モニタユニット、保存ユニット及びコントロールユニットを備える。モニタユニットは、モニタされる信号タイプ及び特定のエリアに応じてモニタタスクを行なう。保存ユニットは、モニタユニットにより取得された信号データを受信し、そのデータを保存する。コントロールユニットは、モニタされたエリアが所定のコンディションを超えた時に、異常コンディションの警報メッセージを送信する。異常リアクションユニットは、異常コンディションの警報メッセージを受信した時に、異常リアクションプロシージャ（異常反応処理）を行なう。
【０００６】
上述の携帯電話モニタシステムでは、モニタユニットによりモニタされる信号がイメージである場合、モニタユニットを、携帯電話の内蔵又はプラグインイメージ取得ユニットで構成することができる。更に、モニタユニットには、モニタされる環境の変化に対応するために、赤外光を用いることができる。本実施例では、不十分な光の環境に対応するために、パッシブ赤外光が用いられている。別の実施例では、暗い環境に対応するために、アクティブ赤外光が用いられている。モニタユニットが暗い場所でもイメージを取得することができるように、アクティブ赤外光は、モニタされた目標に照射し、その後、結像レンズに反射する。
【０００７】
上述の携帯電話モニタシステムでは、モニタユニットによりモニタされる信号が音である場合、モニタユニットを、携帯電話の内蔵又はプラグインマイクロフォンで構成することができる。
【０００８】
上述の携帯電話モニタシステムは、モニタシステムに電力を供給するための電源装置を更に備える。
【０００９】
本発明による携帯電話モニタシステムのための携帯電話は、モニタユニット、保存ユニット及びコントロールユニットを備える。モニタユニットは、モニタされる信号タイプ及び特定のエリアに応じてモニタタスクを行なう。保存ユニットは、モニタユニットにより取得された信号データを受信し、そのデータを保存する。コントロールユニットは、モニタされたエリアが所定のコンディションを超えた時に、異常コンディションの警報メッセージを送信する。異常コンディションの警報メッセージにより、異常リアクションプロシージャが行なわれる。
【００１０】
上述の携帯電話は、異常リアクションユニットを備える。異常リアクションユニットは、異常コンディションの警報メッセージ受信した後、異常リアクションプロシージャを行う。
【００１１】
上述の携帯電話では、モニタユニットによりモニタされる信号がイメージである場合、モニタユニットを、携帯電話の内蔵又はプラグインイメージ取得ユニットで構成することができる。更に、モニタユニットには、モニタされる環境変化に対応するために、赤外光を用いることができる。本実施例では、不十分な光の環境に対応するために、パッシブ赤外光が用いられている。別の実施例では、暗い環境に対応するために、アクティブ赤外光が用いられている。モニタユニットが暗い場所でもイメージを取得することができるように、アクティブ赤外光は、モニタされた目標に照射し、その後、結像レンズに反射する。
【００１２】
上述の携帯電話では、モニタユニットによりモニタされる信号が音である場合、モニタユニットを内蔵又はプラグインマイクロフォンで構成することができる。
【００１３】
本発明によるモニタ方法では、まず、携帯電話のイメージ取得ユニットは、特定のタイムフレームでの所定のエリアで、イメージを周期的に取得する。その後、所定のエリアで取得されたイメージを、特定のタイムフレームの前のイメージと比較する。所定のコンディションが得られない場合、異常コンディションの警報メッセージを異常リアクションプロシージャのために送信する。
【００１４】
上述のモニタ方法の実施例では、所定のエリアのイメージと特定のタイムフレームの前のイメージとの違いを比較するための所定のコンディションは、設定値を含む。二つのイメージの違いが設定値を超えている場合、その状態は異常コンディションである。
【００１５】
本発明によるモニタ方法では、まず、携帯電話の音声取得ユニットは、特定のタイムフレームでの所定のエリアで音を周期的に取得する。その後、所定エリアで取得された音声信号を、特定のタイムフレームの前の信号と比較する。所定のコンディションが得られない場合、異常コンディションの警報メッセージを異常リアクションプロシージャために送信する。
【００１６】
上述のモニタ方法の実施例では、所定のエリアの音声信号と特定のタイムフレームの前の音声信号との違いを比較するための所定のコンディションは、設定値を含む。二つの音声信号の違いが設定値を超えている場合、その状態は異常コンディションである。
【００１７】
上述のモニタ方法の実施例では、まず、携帯電話の赤外光装置は、特定のタイムフレームでの所定のエリアで環境変化を周期的に取得する。その後、所定のエリアで取得された信号を、特定のタイムフレームの前の信号と比較する。所定のコンディションが得られない場合、異常コンディションの警報メッセージを異常リアクションプロシージャのために送信する。
【００１８】
上述のモニタ方法の実施例では、携帯電話の赤外光は、不十分な光の環境変化をモニタするためのパッシブ赤外光である。
【００１９】
上述のモニタ方法の別の実施例では、モニタユニットが暗い場所でもイメージを取得することができるように、携帯電話の赤外光は、モニタされた目標に照射し、その後、結像レンズに反射するアクティブ赤外光である。
【発明の効果】
【００２０】
本発明に係る携帯電話のモニタシステムによれば、携帯電話の移動性と、モニタシステムの異常モニタリアクションとを組み合わせ、モニタタスクの性能及び実行可能性を実質的に増大させることができる。
【発明を実施するための最良の形態】
【００２１】
添付図面は、本発明を更に理解するために含まれ、本明細書の一部に組み込まれ、本明細書の一部を構成する。添付図面は、説明と共に本発明の実施例を示し、本発明の原理を説明する。
【実施例】
【００２２】
本発明は、携帯電話の利便性とモニタシステムとを組み合わせ、携帯電話の利用可能な機能を利用し、従来のモニタシステムでの不都合を克服する。即ち、本発明は、携帯電話の利用可能な機能を用いて携帯電話のモニタシステムを向上させるためのものである。モニタ機能を備えるこのような携帯電話を、いかなる場所及び特定のエリアでも用いることのできる携帯電話モニタシステムとすることができる。従って、本発明に係る携帯電話のモニタシステムよれば、モニタ性能を確実に高めることができる。
【００２３】
本発明のモニタ機能を備える携帯電話を、任意に、モニタ及びコントロールシステムとして構成することができる。モニタ機能を備える携帯電話を、携帯電話の移動性に基づいて、モニタする所望の位置に設けることができ、選択されたコンディションによりモニタタスクを実行する。本実施例では、音量は、環境変化をモニタするため、且つアラーム信号を送信するアラーム装置のための評価パラメータとして用いられる。別の実施例では、アラーム信号を送信するアラーム装置のために、イメージ取得ユニットを備える携帯電話は、取得したイメージの変化により異常事態が発生しているか否かを決定することができる。
【００２４】
図１は、本発明の実施例における携帯電話のモニタ及びコントロールシステム１００の略ブロック図である。携帯電話のモニタ及びコントロールシステム１００は、少なくとも、モニタユニット１１０、携帯電話本体１２０及びコントロールユニット１３０を備える。携帯電話のモニタ及びコントロールシステム１００を、携帯電話に一体化することができる。任意の実施例では、所定の異常リアクションユニットを、アプリケーション要件に応じて、図１で１４０として示されるように、モニタシステム内、又はプラグイン異常リアクションユニット１５０としてモニタシステム外に設けることができる。
【００２５】
モニタユニット１１０は、モニタされる信号データを選択するために用いられる。取得される目標が音量である場合、モニタユニット１１０をサウンドレシーバで構成することができる。取得される目標が特定のエリアのイメージデータである場合、モニタユニット１１０をイメージ取得装置で構成することができる。携帯電話本体１２０は、モニタユニット１１０により取得された信号データ１２２を受信し、その信号を保存する。コントロールユニット１３０は、携帯電話本体１２０に接続され、保存された信号データを受信し、そのデータを分析し、判断を下す。例えば、音量が設定値を超えている場合又は取得されたイメージが異常変化を示している場合のように、携帯電話本体１２０によりモニタされた環境が所定のコンディションを超えている場合、これにより、異常コンディションの警報メッセージ１３２が、所定のコンディションに基づき生成され、所定の異常リアクションユニット１４０又はプラグイン異常リアクションユニット１５０に送信される。
【００２６】
本実施例では、モニタユニット１１０、携帯電話本体１２０及びコントロールユニット１３０は、後述する携帯電話に一体化されている。携帯電話のモニタ及びコントロールシステム１００をオンにした後、モニタユニット１１０は、特定の環境の機能のモニタを開始する。その後、モニタユニット１１０は、携帯電話本体１２０に取得データを送信し、そのデータを保存する。その後、そのデータは、コントロールユニット１３０により分析及び比較される。その結果が許容範囲内である場合、コントロールユニット１３０は、通常信号をコントロールユニットに送信し、次のタイムフレームでのデータ取得を進める。一方、その結果が許容範囲外である場合、コントロールユニット１３０は、内蔵された所定の異常リアクションユニット１４０又はプラグイン異常リアクションユニット１５０に異常信号を送信し、その後、例えば、アラームを作動させる。携帯電話モニタシステムに設けられた独立コントローラは、より精密なモニタシステムを処理するために有益である。携帯電話モニタシステムに設けられたこのような独立コントローラは、複数の所定の異常又は特定の異常リアクションレベルを処理することができる。
【００２７】
通常の携帯電話の極限電力を避けるために、特に、選択された目標を常にモニタし、電力が不十分であるときは、携帯電話のモニタ及びコントロールシステム１００に、十分且つ継続的な電力を供給するために、内蔵又はプラグイン電源１６０を設けることができる。
【００２８】
以下に、本発明の携帯電話モニタシステムの別の実施例について説明する。
【００２９】
図２は、本発明の実施例によるイメージのための携帯電話モニタシステム２００のフローチャートである。まず、携帯電話及びそのモニタユニットをオンする（ステップ２１０）。携帯電話は、例えば、内蔵又はプラグインカメラを備える。その後、選択されたモニタエリアから基準（即ち、バックグラウンドイメージ）としての第１イメージを取得する（ステップ２２０）。次に、すべての特定のタイムフレームで、第２（又は、K番目）の写真を取得する（ステップ２３０）。更に、携帯電話は、イメージデータを保存し、第１写真を第２写真と比較し、又は、K番目の写真を（K-1）番目の写真と比較する（ステップ２４０）。このステップでは、システムは、写真の違いを決定する。その違いが許容範囲内である場合、システムは、ステップ２３０のように、次の写真、即ち、（K+１）番目の写真を取得するステップに進む。その違いが許容範囲を超えていると判断すると、異常信号を生成し、異常反応ユニットにその異常信号を送信する。本実施例では、（K+１）番目の写真とタイムフレームの前に取得された写真との違いは、例えば、２０％又は３０％であり、その後、異常信号を送信する。所定の異常リアクションユニットを、アラームシステム、カメラ、ビデオレコーダ、又はプリセット電話番号によりユーザに警告する電話で構成することができる。
【００３０】
即ち、写真の違いが許容範囲内である場合、次のイメージ取得に進むことができる。一方、異常コンディションが写真の違いを明らかに示すと、システムは、予め設定された保護方法により、アラーム、ビデオレコーダ、カメラ又は電話を作動させることにより対処する。
【００３１】
更に、上述の携帯電話モニタシステムでは、夜又は暗い場所でのモニタタスクのために、赤外光を用いることができる。パッシブ赤外光とアクティブ赤外光との２種類の赤外光がある。パッシブ赤外光は、不十分な光の環境での操作に特に適しているが、追加の光学拡大装置又は赤外イメージセンサを必要とする。例えば、赤外LEDのアクティブ赤外光は、モニタされた目標に直接照射し、その後、結像レンズに反射する。従って、暗い場所でもイメージを取得することができる。
【００３２】
図３は、本発明の別の実施例による音声同定のための携帯電話モニタシステム３００のフローチャートである。まず、携帯電話及びそのモニタユニットをオンする（ステップ３１０）。携帯電話のモニタユニットを、例えば、内蔵又はプラグインマイクロフォン、マイクロフォン信号増幅機及び音声認識回路で構成することができる。マイクロフォン信号増幅機は、マイクロフォンにより受信した音声信号を増幅し、音声信号が正常であるか否かを決定する。
【００３３】
その後、音声信号のバックグラウンド音量又周波数スペクトル等の音声信号の基準音量又は基準周波数スペクトルを、選択されたモニタエリアから取得する（ステップ３２０）。基準音量は、第１ボリュームとして扱われる。ユーザは、モニタされるエリアを選択することができる。次に、第２又はK番目の音量を、全ての特定のタイムフレームで取得する（ステップ３３０）。携帯電話は、音声信号データを保存し、第１ボリューム及び第２ボリューム（又は、K番目の音量と（K−１）番目の音量と）の比較処理に進む（ステップ３４０）。このステップでは、音量を比較することによりその違いを決定する。その違いが許容範囲内である場合、システムは、次の音量、即ち、（K＋１）番目の音量を取得する工程に続く。音量の違いが許容範囲を超えている場合、異常信号を生成し、コントロールユニットにその異常信号を送信する。コントロールユニットが異常状態を検知すると、コントロールユニットは、ただちに、所定の異常リアクションユニットに異常信号を送る。所定の異常リアクションユニットを、アラームシステム、カメラ、ビデオレコーダ又は予め設定された番号からユーザに通知する電話で構成することができる。
【００３４】
即ち、音量の違いが許容範囲内であれば、次の音声信号取得に進むことができる。一方、異常コンディションが音量の違いを明らかに示すと、システムは、予め設定された保護方法に応じてアラーム、ビデオレコーダ、カメラ又は電話を作動させることにより対処する。
【００３５】
本発明の範囲又は精神から逸脱しない限り、本発明の構成に種々の変形及び変化がなされることは、当業者にとって自明である。上述を考慮して、明細書及び実施例は、例示的なものであり、本発明の実際の範囲及び精神は、請求項及びその均等物により示される。
【図面の簡単な説明】
【００３６】
【図１】本発明の携帯電話のモニタ及びコントロールシステムの略ブロック図である。
【図２】本発明の実施例によるイメージのための携帯電話のモニタシステムのフローチャートである。
【図３】本発明の別の実施例による音声同定のための携帯電話のモニタシステムのフローチャートである。
【符号の説明】
【００３７】
１００  携帯電話のモニタ及びコントロールシステム
１１０  モニタユニット
１２０  携帯電話本体
１２２  取得信号データ
１３０  コントロールユニット
１３２  異常コンディションの警報メッセージ
１４０  異常リアクションユニット
１５０  外部異常リアクションユニット
１６０  電源
２００、３００  携帯電話モニタシステム
【図１】
2006309694.tif 000003
【図２】
2006309694.tif 000004
【図３】
2006309694.tif 000005